(57)【要約】【課題】主要部が段ボール紙からなる、食器洗浄乾燥機などの被包装物を衝撃から確実に保護することが可能で、信頼性の高い包装を行うことが可能な包装材、及びそれを用いた包装構造を提供する。【解決手段】底パッド用下側部材２と、食器洗浄乾燥機Ａの底面側の四隅に略対応する位置に切り込み３が形成された底パッド用上側部材４と、所定の端部を、上端が先端に向かって下り勾配となる先細りの形状とした井桁状緩衝部材５とを備えた底パッド１と、天パッド用上側部材１２と、食器洗浄乾燥機Ａの上面側の四隅に略対応する位置に切り込み１３が形成された天パッド用下側部材１４とを備えた天パッド１１と、コーナーパッド２１と、天パッド１１を支持する支柱部３１とを備えた構成とし、食器洗浄乾燥機Ａのコーナー部を受ける部分を適度に変形しやすくして、食器洗浄乾燥機Ａのコーナー部にかかる衝撃を確実に吸収する。【選択図】　　　　　図１
2004099116.tif 000002
【特許請求の範囲】
【請求項１】
平面形状が略方形の被包装物を包装するための、主要部が段ボール紙からなる包装材において、
（ａ）被包装物の底面側に配設される底パッドであって、
浅い箱状で上面が開口した底パッド用下側部材と、
浅い箱状で下面側が開口し、前記底パッド用下側部材の内側に入り込むような平面形状及び高さを有するとともに、被包装物の底面側の四隅に略対応する位置に切り込みが形成された底パッド用上側部材と、
前記底パッド用下側部材と前記底パッド用上側部材により形成される空間内に収容される、井桁状で、四角形部分を構成する辺となる部分より外側の部分（以下「端部」）のうち、所定の端部は、上端が先端に向かって下り勾配となる先細りの形状とされた井桁状緩衝部材と
を備えた底パッドと、
（ｂ）被包装物の上面側に配設される天パッドであって、
浅い箱状で下面が開口した天パッド用上側部材と、
浅い箱状で上面側が開口し、前記天パッド用上側部材の内側に入り込むような平面形状及び高さを有するとともに、被包装物の上面側の四隅に略対応する位置に切り込みが形成された天パッド用下側部材と
を備えた天パッドと、
（ｃ）被包装物の略垂直面により形成される４つの稜線部を覆うように配設され、被包装物の稜線部を保護するコーナーパッドと、
（ｄ）前記コーナーパッドを覆うように配設され、前記天パッドを支持する支柱部と
を具備することを特徴とする包装材。
【請求項２】
前記コーナーパッドは、下端部が前記底パッド上に載るような態様で配設され、かつ、前記支柱部の下端側が、前記底パッドの底パッド用下側部材と底パッド用上側部材の隙間にはまり込み、上端側が、前記天パッドの天パッド用上側部材と天パッド用下側部材の隙間にはまり込むような態様で配設されており、包装された状態で被包装物が底パッドと天パッドの間を移動した場合に、前記コーナーパッドが被包装物に伴って移動するように構成されていることを特徴とする請求項１記載の包装材。
【請求項３】
前記支柱部に、包装された状態の被包装物を取り扱う際に把手となる手穴が形成されていることを特徴とする請求項１又は２記載の包装材。
【請求項４】
前記コーナーパッドのそれぞれが、切り目及び切り欠きを設けた一枚の段ボール紙を所定の位置で折り曲げ、巻き込むことにより形成されたものであることを特徴とする請求項１〜３のいずれかに記載の包装材。
【請求項５】
前記被包装物が食器洗浄乾燥機であることを特徴とする請求項１〜４のいずれかに記載の包装材。
【請求項６】
平面形状が略方形の被包装物を、請求項１〜４のいずれかに記載の包装材を用いて包装した包装構造であって、
（ａ）被包装物の底面側に前記底パッドが配設され、
（ｂ）被包装物の上面側に前記天パッドが配設され、
（ｃ）被包装物の垂直面により形成される４つの稜線部を覆うように前記コーナーパッドが配設され、
（ｄ）前記コーナーパッドを覆うように前記天パッドを支持する前記支柱部が配設されていること
を特徴とする包装構造。
【請求項７】
被包装物に、前記底パッド、前記天パッド、前記コーナーパッド及び前記支柱部が配設された状態で、底パッドと天パッドの間に被包装物が挟持されるように、底パッドと天パッドの外側を経由して周回するようにバンド状締結部材が巻き回され、締結されていることを特徴とする請求項６記載の包装構造。
【請求項８】
前記被包装物が食器洗浄乾燥機であることを特徴とする請求項６又は７記載の包装構造。
【発明の詳細な説明】
【０００１】
【発明の属する技術分野】
本願発明は、包装材及び包装構造に関し、詳しくは、平面形状が略方形の食器洗浄乾燥機などの被包装物を効率よく包装するための包装材及び該包装材を用いた包装構造に関する。
【０００２】
【従来の技術及び発明が解決しようとする課題】
例えば、使用後の食器を自動的に洗浄乾燥する食器洗浄乾燥機、浴室暖房乾燥機、ガス加熱調理器具などの被包装物を搬送や保管のために包装する場合、従来は、包装材として、段ボール紙などの紙製ボード状材料からなる容器（段ボール箱）や、被包装物の所定の部分と段ボール箱の内壁との隙間を埋めるためのパッド（発泡スチロールなどを所定の形状に成形した成形体）などが用いられている。このパッドは、段ボール箱内に被包装物を固定したり、被包装物の重量が段ボール箱の底面などに集中して加わることを防止したりする機能を果たすとともに、外部より加わる衝撃から被包装物を保護する機能を果たす。
【０００３】
しかし、発泡スチロールなどの発泡樹脂からなるパッドは、使用後に、廃棄物として焼却処理される際に公害（例えば有害ガスの発生など）を引き起こし易いという問題点がある。
また、発泡スチロールなどの発泡樹脂材料と、段ボール箱などの紙系材料の複数の材料からなる部材を包装材として用いることが必要となるため、保管や取り扱いが複雑になるという問題点がある。
【０００４】
また、公害の問題の少ない段ボール紙などの紙系材料のみを用いて包装しようとした場合、十分な耐衝撃性を確保しようとすると、紙系材料を複雑な構造に加工することが必要になったり、使用量が増大したりして、コストの増大を招くという問題点がある。
【０００５】
本願発明は、上記背景に鑑みてなされたものであり、段ボール紙を用いて、例えば食器洗浄乾燥機などの被包装物を、コストの増大を招くことなく効率よく包装することが可能な包装材、及びそれを用いた包装構造を提供することを目的とする。
【０００６】
【課題を解決するための手段】
上記目的を達成するために、本願発明（請求項１）の包装材は、
平面形状が略方形の被包装物を包装するための、主要部が段ボール紙からなる包装材において、
（ａ）被包装物の底面側に配設される底パッドであって、
浅い箱状で上面が開口した底パッド用下側部材と、
浅い箱状で下面側が開口し、前記底パッド用下側部材の内側に入り込むような平面形状及び高さを有するとともに、被包装物の底面側の四隅に略対応する位置に切り込みが形成された底パッド用上側部材と、
前記底パッド用下側部材と前記底パッド用上側部材により形成される空間内に収容される、井桁状で、四角形部分を構成する辺となる部分より外側の部分（以下「端部」）のうち、所定の端部は、上端が先端に向かって下り勾配となる先細りの形状とされた井桁状緩衝部材と
を備えた底パッドと、
（ｂ）被包装物の上面側に配設される天パッドであって、
浅い箱状で下面が開口した天パッド用上側部材と、
浅い箱状で上面側が開口し、前記天パッド用上側部材の内側に入り込むような平面形状及び高さを有するとともに、被包装物の上面側の四隅に略対応する位置に切り込みが形成された天パッド用下側部材と
を備えた天パッドと、
（ｃ）被包装物の略垂直面により形成される４つの稜線部を覆うように配設され、被包装物の稜線部を保護するコーナーパッドと、
（ｄ）前記コーナーパッドを覆うように配設され、前記天パッドを支持する支柱部と
を具備することを特徴としている。
【０００７】
上述のように、底パッド用下側部材と、被包装物の底面側の四隅に略対応する位置に切り込みが形成された底パッド用上側部材と、四角形部分を構成する辺となる部分より外側の部分（以下「端部」）のうち、所定の端部を、上端が先端に向かって下り勾配となる先細りの形状とした井桁状緩衝部材とを備えた底パッドと、天パッド用上側部材と、被包装物の上面側の四隅に略対応する位置に切り込みが形成された天パッド用下側部材とを備えた天パッドと、コーナーパッドと、天パッドを支持する支柱部とを備えた構成とすることにより、被包装物の下面側及び上面側の四隅（コーナー部）を受ける部分が適度に変形しやすくなり、被包装物のコーナー部にかかる衝撃を効率よく吸収することができる。したがって、主要部が段ボール紙からなる包装材を用いて、信頼性の高い包装を行うことが可能になる。
なお、支柱部は、被包装物の正面及び背面を覆うように、あるいは両側部を覆うように一対の２つの支柱部を備えた構成とすることも可能であり、また、４つの稜線部のそれぞれに配設されるように、４つの支柱部を備えた構成とすることも可能である。
【０００８】
また、請求項２の包装材は、前記コーナーパッドは、下端部が前記底パッド上に載るような態様で配設され、かつ、前記支柱部の下端側が、前記底パッドの底パッド用下側部材と底パッド用上側部材の隙間にはまり込み、上端側が、前記天パッドの天パッド用上側部材と天パッド用下側部材の隙間にはまり込むような態様で配設されており、包装された状態で被包装物が底パッドと天パッドの間を移動した場合に、前記コーナーパッドが被包装物に伴って移動するように構成されていることを特徴としている。
【０００９】
コーナーパッドを、その下端部が底パッド上に載るような態様で配設し、被包装物が底パッドと天パッドの間を移動した場合に、コーナーパッドが被包装物に伴って移動するようにした場合、搬送時などに被包装物が位置ずれを生じたときにも、その稜線部（平面的に見た場合のコーナー部）を確実に保護することが可能になり、包装信頼性を向上させることができる。
また、支柱部の下端側を、底パッドの底パッド用下側部材と底パッド用上側部材の隙間にはまり込ませ、上端側を、天パッドの天パッド用上側部材と天パッド用下側部材の隙間にはまり込ませることにより、包装材を構成する各部材を確実に係合させて包装信頼性を向上させることができる。
【００１０】
また、請求項３の包装材は、前記支柱部に、包装された状態の被包装物を取り扱う際に把手となる手穴が形成されていることを特徴としている。
【００１１】
支柱部に、包装された状態の被包装物を取り扱う際に把手となる手穴を形成することにより、搬送時に作業者が被包装物を積み降ろしたり、移載したりする際の作業性を向上させることが可能になる。
【００１２】
また、請求項４の包装材は、前記コーナーパッドのそれぞれが、切り目及び切り欠きを設けた一枚の段ボール紙を所定の位置で折り曲げ、巻き込むことにより形成されたものであることを特徴としている。
【００１３】
コーナーパッドを、切り目及び切り欠きを設けた一枚の段ボール紙を所定の位置で折り曲げ、巻き込むことにより形成するようにした場合、包装材を構成するコーナーパッドの製造を容易にして、本願発明をさらに実効あらしめることができる。
【００１４】
また、請求項５の包装材は、前記被包装物が食器洗浄乾燥機であることを特徴としている。
【００１５】
食器洗浄乾燥機にはユニット式のものがあり、本体部分よりも高さや横幅の大きい前面パネルを備えた構造のものがあるが、本願発明の包装材によれば、前面パネルの角部などを確実に保護することが可能な、信頼性の高い包装を行うことができる。
また、洗浄槽がスライドするスライド式の食器洗浄乾燥機においては、底面が変形すると洗浄槽をスライドさせる際にスライド部がこすれて異音が発生し、クレームの原因となりやすいが、本願発明の包装材によれば、底パッドにより底面を確実に保護することができるため有意義である。
【００１６】
また、本願発明（請求項６）の包装構造は、
平面形状が略方形の被包装物を、請求項１〜４のいずれかに記載の包装材を用いて包装した包装構造であって、
（ａ）被包装物の底面側に前記底パッドが配設され、
（ｂ）被包装物の上面側に前記天パッドが配設され、
（ｃ）被包装物の垂直面により形成される４つの稜線部を覆うように前記コーナーパッドが配設され、
（ｄ）前記コーナーパッドを覆うように前記天パッドを支持する前記支柱部が配設されていること
を特徴としている。
【００１７】
本願発明（請求項６）の包装構造は、請求項１〜４のいずれかに記載の包装材を用いた包装構造であり、被包装物の底面側に、被包装物の底面側の四隅に略対応する位置に切り込みが形成された底パッド用上側部材を備え、かつ、内部に上述の井桁状緩衝部材が収容された底パッドが配設され、被包装物の上面側に、被包装物の上面側の四隅に略対応する位置に切り込みが形成された天パッド用下側部材を備えた天パッドが配設され、被包装物の垂直面により形成される４つの稜線部を覆うようにコーナーパッドが配設され、コーナーパッドを覆うように天パッドを支持する支柱部が配設された構造を有しているので、被包装物の下面側及び上面側の四隅（コーナー部）を受ける部分が適度に変形しやすく、被包装物のコーナー部にかかる衝撃を効率よく吸収することができる。したがって、主要部が段ボール紙からなる包装材を用いて、信頼性の高い包装を行うことが可能になる。
【００１８】
また、コーナーパッドを、その下端部が底パッド上に載るような態様で配設し、包装された状態で、被包装物が底パッドと天パッドの間を移動した場合に、コーナーパッドが被包装物とともに移動するようにした場合、搬送時などに被包装物が位置ずれを生じた場合にも、その稜線部（平面的に見た場合のコーナー部）を確実に保護することが可能になり、包装信頼性を向上させることができる。
【００１９】
また、請求項７の包装構造は、被包装物に、前記底パッド、前記天パッド、前記コーナーパッド及び前記支柱部が配設された状態で、底パッドと天パッドの間に被包装物が挟持されるように、底パッドと天パッドの外側を経由して周回するようにバンド状締結部材が巻き回され、締結されていることを特徴としている。
【００２０】
被包装物に、底パッド、天パッド、コーナーパッド及び支柱部が配設された状態で、底パッドと天パッドの間に被包装物が挟持されるように、底パッドと天パッドの外側を経由して周回するようにバンド状締結部材を巻き回し、締結することにより、さらに信頼性の高い包装を行うことが可能になる。
【００２１】
また、請求項８の包装構造は、前記被包装物が食器洗浄乾燥機であることを特徴としている。
【００２２】
食器洗浄乾燥機にはユニット式のものがあり、本体部分よりも高さや横幅の大きい前面パネルを備えた構造のものがあるが、本願発明の包装構造を採用することにより、前面パネルの角部などを確実に保護することが可能で、信頼性の高い包装を行うことができる。
【００２３】
【発明の実施の形態】
以下、本願発明の実施の形態を示して、その特徴とするところをさらに詳しく説明する。
なお、この実施形態では、本願発明の一実施形態にかかる包装材を用いて、食器洗浄乾燥機（被包装物）を包装する場合を例にとって説明する。
【００２４】
図１は本願発明の一実施形態にかかる包装材を用いた食器洗浄乾燥機の包装構造を示す分解斜視図である。
【００２５】
［食器洗浄乾燥機の構成］
この実施形態において包装の対象となる食器洗浄乾燥機Ａは、図６（ａ），（ｂ）に示すような構造を有しており、前面には食器の出し入れを行うための扉部５１や操作ボタン５２などが配設され、背面には給水管５３、排水管５４、及び電源コード５５が配設されており、包装するにあたって、扉部５１が開かないように粘着テープ５６により食器洗浄乾燥機本体６０に固定された状態とされている。
【００２６】
［包装材］
上記食器洗浄乾燥機Ａを包装するために用いられる包装材は、図１に示すように、食器洗浄乾燥機Ａの底面側に配設される底パッド１と、食器洗浄乾燥機Ａの上面側に配設される天パッド１１と、食器洗浄乾燥機Ａの垂直面により形成される４つの稜線部を覆うように配設され、食器洗浄乾燥機Ａの稜線部（平面的に見た場合のコーナー部）を保護する４つのコーナーパッド２１と、コーナーパッド２１を覆うように、食器洗浄乾燥機Ａの前面側及び背面側に配設され、天パッド１１を支持する支柱部３１と、食器洗浄乾燥機Ａが収納されるポリエチレン製の袋４１を備えている。
【００２７】
食器洗浄乾燥機Ａの底面側に配設される底パッド１は、上面が開口した浅い箱状の底パッド用下側部材２と、浅い箱状で下面側が開口し、底パッド用下側部材２の内側に入り込むような平面形状及び高さを有するとともに、食器洗浄乾燥機Ａの底面側の四隅に略対応する位置に切り込み３（図２（ａ），（ｂ））が形成された底パッド用上側部材４と、底パッド用下側部材２と底パッド用上側部材４により形成される空間内に収容される井桁状緩衝部材５から形成されている。なお、井桁状緩衝部材５は、図３（ａ），（ｂ）に示すように、両端側に切り欠き６が形成された一対の細長い段ボール紙片７ａと、他の一対の細長い段ボール紙片７ｂを、それぞれの切り欠き６が互いに係合するように組み合わせることにより形成されている。また、一対の細長い段ボール紙片７ａの、四角形部分８を構成する辺９となる部分より外側の部分（端部）１０は、上端が先端に向かって下り勾配となる先細りの形状とされており、底パッド用上側部材４の切り込み３が形成された部分が下方に変形した場合に、変形部分を逃がすことができるように構成されている。
【００２８】
また、食器洗浄乾燥機Ａの上面側に配設される天パッド１１は、下面が開口した浅い箱状の天パッド用上側部材１２と、浅い箱状で上面側が開口し、天パッド用上側部材１２の内側に入り込むような平面形状及び高さを有するとともに、食器洗浄乾燥機Ａの上面側の四隅に略対応する位置に切り込み１３が形成された天パッド用下側部材１４とを備えている。
なお、上記の底パッド１を構成する底パッド用下側部材２、底パッド用上側部材４、天パッド１１を構成する天パッド用上側部材１２、天パッド用下側部材１４は、それぞれ、段ボール紙を折り曲げ加工した状態で粘着テープ１５により所定の部分を貼り付け固定することにより、所望の形状に保たれている。
【００２９】
食器洗浄乾燥機Ａの垂直面により形成される４つの稜線部を覆うように配設され、食器洗浄乾燥機Ａの稜線部（平面的に見た場合のコーナー部）を保護する４つのコーナーパッド２１のそれぞれは、図４（ａ）に示すように、所定の部分に四角形の貫通孔２２、長穴状の貫通孔２３、切り欠き２４が形成され、所定の部分に切り目２５、及び折り目用の型押し２６が施された一枚の段ボール紙２７を、図４（ｂ）に示すように、折り曲げ、巻き込むことにより形成されている。
なお、図４（ａ），（ｂ）に示す四角形部分２５ａは、折り曲げ加工を容易に行うことができるように、垂直方向には切り目が入れられず、水平方向にのみ切り目が入れられた構造となっており、段ボール紙２７が一体につながった状態とされている。また、切り目２５ｂは、一部が段ボール紙２７を切断してしまわないような態様で形成されおり、段ボール紙２７が一体につながった状態に保たれるように構成されている。なお、折り曲げ加工が行われた後の状態においては、段ボール紙２７の各部と、切り欠き２４や貫通孔２２などが係合するため、十分な強度を備えたコーナーパッド２１を得ることができる。なお、貫通孔２３は包装後に把手としての機能を果たす支柱部３１の手穴となる。
【００３０】
また、コーナーパッド２１を覆うように配設され、天パッド１１を支持する支柱部３１は、手穴用貫通孔３２が形成された段ボール紙をコ字状に折り曲げ加工することにより形成されている。なお、支柱部３１の手穴用貫通孔３２は、コーナーパッド２１の貫通孔２３と重なり、包装後に協働して把手としての機能を果たすことになる。
【００３１】
また、この実施形態では、コーナーパッド２１の下端部が底パッド１上に載るような態様で、食器洗浄乾燥機Ａの稜線部に配設され、かつ、支柱部３１の下端側が、底パッド１の底パッド用下側部材２と底パッド用上側部材４の隙間にはまり込み、上端側が、天パッド１１の天パッド用上側部材１２と天パッド用下側部材１４の隙間にはまり込むような態様で配設されており、包装された状態で食器洗浄乾燥機Ａが底パッド１と天パッド１１の間を移動した場合に、コーナーパッド２１が食器洗浄乾燥機Ａとともに移動するように構成されている。
なお、支柱部３１の下端側を、底パッド１の底パッド用下側部材２と底パッド用上側部材４の隙間にはまり込ませ、上端側を、天パッド１１の天パッド用上側部材１２と天パッド用下側部材１４の隙間にはまり込ませることにより、食器洗浄乾燥機Ａ及びコーナーパッド２１は、底パッド１，天パッド１１，支柱部２１により規定される空間内に確実に収容されるとともに、包装材を構成する各部材が確実に係合して、高い包装信頼性を実現することが可能になる。
【００３２】
［食器洗浄乾燥機Ａの包装］
（１）上記包装材を用いて食器洗浄乾燥機Ａを包装するにあたっては、まず、底パッド１上に食器洗浄乾燥機Ａを載置し、ポリエチレン製の袋４１をかぶせて、ポリエチレン製の袋４１内に食器洗浄乾燥機Ａを収納するとともに、食器洗浄乾燥機Ａの四隅が底パッド１の切り込み３上に位置するようにセットする。
（２）次に、食器洗浄乾燥機Ａの垂直面により形成される４つの稜線部を覆うように、コーナーパッド２１を所定の位置に配置する。このとき、包装された状態で、食器洗浄乾燥機Ａが底パッド１と天パッド１１の間を移動した場合に、コーナーパッド２１が食器洗浄乾燥機Ａとともに移動できるように、コーナーパッド２１の下端が底パッド１上に載るように配設する。
（３）それから、２つの支柱部３１を食器洗浄乾燥機Ａの前面側と背面側に配設し、下端側を、底パッド１の底パッド用下側部材２と底パッド用上側部材４の隙間にはまり込ませる。
（４）次に、食器洗浄乾燥機Ａの上面に天パッド１１を載置し、２つの支柱部３１の上端側を、天パッド１１の天パッド用上側部材１２と天パッド用下側部材１４の隙間にはまり込ませることにより包装を行う。
（５）そして、図５に示すように、食器洗浄乾燥機Ａに、底パッド１、天パッド１１、コーナーパッド２１及び支柱部３１が配設された状態で、底パッド１と天パッド１１の間に食器洗浄乾燥機Ａが挟持されるように、底パッド１と天パッド１１の外側を経由して周回するようにポリエチレン製のバンド状締結部材４２を巻き回し、締結する。
これにより、食器洗浄乾燥機Ａの包装が行われる。
【００３３】
この実施形態においては、上述のように構成された包装材を用いて包装を行っており、底パッド用上側部材４及び天パッド用下側部材１４には切り込み３，１３が形成されおり、かつ、底パッド１を構成する井桁状緩衝部材５の一対の細長い段ボール紙片７ａの端部１０の上端が先端に向かって下り勾配となるように先細りの形状とされているので、食器洗浄乾燥機Ａの底面側の四隅（コーナー部）を受ける部分、すなわち、底パッド１を構成する底パッド用上側部材４の切り込み３が形成された部分及び天パッド１１を構成する天パッド用下側部材１４の切り込み１３が形成された部分が、適度に変形しやすくなり、食器洗浄乾燥機Ａのコーナー部にかかる衝撃を効率よく吸収することが可能になる。
【００３４】
また、コーナーパッド２１を、その下端部が底パッド１上に載るような態様で配設しているので、包装された状態で食器洗浄乾燥機Ａが底パッド１と天パッド１１の間を移動した場合に、コーナーパッド２１が食器洗浄乾燥機Ａとともに移動するため、搬送時などに食器洗浄乾燥機Ａが位置ずれを生じたような場合にも、その稜線部（平面的に見た場合のコーナー部）を確実に保護することができる。
【００３５】
また、支柱部３１及びコーナーパッド２１に　包装された状態の食器洗浄乾燥機Ａを取り扱う際に把手となる手穴用貫通孔３２及び貫通孔２３を形成しているので、搬送時に作業者が食器洗浄乾燥機Ａを積み降ろしたり、移載したりする際の作業性を向上させることができる。
【００３６】
また、コーナーパッド２１を、一枚の段ボール紙を所定の位置で折り曲げ、巻き込むことにより形成するようにしているので、包装材を構成するコーナーパッド２１の製造を容易にして、本願発明をさらに実効あらしめることができる。
【００３７】
なお、上記実施形態においては、井桁状緩衝部材を構成する一対の細長い段ボール紙片７ａの、四角形部分８を構成する辺９となる部分より外側の端部１０を先細りの形状としているが、場合によっては他の一対の段ボール紙片７ｂの端部を先細りの形状としてもよく、また、一対及び他の一対の両方の段ボール紙片７ａ，７ｂの端部を先細りの形状としてもよい。
【００３８】
また、上記実施形態では、食器洗浄乾燥機を包装する場合を例にとって説明したが、本願発明は、食器洗浄乾燥機に限らず、浴室暖房乾燥機、ガス加熱調理器具などの、平面形状が略方形の種々の被包装物を包装する場合に広く適用することが可能である。
【００３９】
本願発明はさらにその他の点においても上記実施形態に限定されるものではなく、底パッド、底パッド用下側部材、底パッド用上側部材、井桁状緩衝部材、天パッド、天パッド用上側部材、天パッド用下側部材、コーナーパッド、支柱部などの形状、構造に関し、発明の範囲内において、種々の応用、変形を加えることが可能である。
【００４０】
【発明の効果】
上述のように本願発明（請求項１）の包装材は、上述のように、底パッド用下側部材と、被包装物の底面側の四隅に略対応する位置に切り込みが形成された底パッド用上側部材と、四角形部分を構成する辺となる部分より外側の部分（以下「端部」）のうち、所定の端部を、上端が先端に向かって下り勾配となる先細りの形状とした井桁状緩衝部材とを備えた底パッドと、天パッド用上側部材と、被包装物の上面側の四隅に略対応する位置に切り込みが形成された天パッド用下側部材とを備えた天パッドと、コーナーパッドと、天パッドを支持する支柱部とを備えた構成としているので、被包装物の下面側及び上面側の四隅（コーナー部）を受ける部分が適度に変形しやすくなり、被包装物のコーナー部にかかる衝撃を効率よく吸収することができる。したがって、主要部が段ボール紙からなる包装材を用いて、信頼性の高い包装を行うことが可能になる。
【００４１】
また、請求項２の包装材のように、コーナーパッドを、その下端部が底パッド上に載るような態様で配設し、被包装物が底パッドと天パッドの間を移動した場合に、コーナーパッドが被包装物に伴って移動するようにした場合、搬送時などに被包装物が位置ずれを生じたときにも、その稜線部（平面的に見た場合のコーナー部）を確実に保護することが可能になり、包装信頼性を向上させることができる。
また、支柱部の下端側を、底パッドの底パッド用下側部材と底パッド用上側部材の隙間にはまり込ませ、上端側を、天パッドの天パッド用上側部材と天パッド用下側部材の隙間にはまり込ませることにより、包装材を構成する各部材を確実に係合させて包装信頼性を向上させることができる。
【００４２】
また、請求項３の包装材のように、支柱部に、包装された状態の被包装物を取り扱う際に把手となる手穴を形成することにより、搬送時に作業者が被包装物を積み降ろしたり、移載したりする際の作業性を向上させることが可能になる。
【００４３】
また、請求項４の包装材のように、コーナーパッドを、切り目及び切り欠きを設けた一枚の段ボール紙を所定の位置で折り曲げ、巻き込むことにより形成するようにした場合、包装材を構成するコーナーパッドの製造を容易にして、本願発明をさらに実効あらしめることができる。
【００４４】
また、食器洗浄乾燥機にはユニット式のものがあり、本体部分よりも高さや横幅の大きい前面パネルを備えた構造のものがあるが、請求項５のように本願発明の包装材を用いることにより、前面パネルの角部などを確実に保護することが可能な、信頼性の高い包装を行うことができる。
【００４５】
本願発明（請求項６）の包装構造は、請求項１〜４のいずれかに記載の包装材を用いた包装構造であり、被包装物の底面側に、被包装物の底面側の四隅に略対応する位置に切り込みが形成された底パッド用上側部材を備え、かつ、内部に上述の井桁状緩衝部材が収容された底パッドが配設され、被包装物の上面側に、被包装物の上面側の四隅に略対応する位置に切り込みが形成された天パッド用下側部材を備えた天パッドが配設され、被包装物の垂直面により形成される４つの稜線部を覆うようにコーナーパッドが配設され、コーナーパッドを覆うように天パッドを支持する支柱部が配設された構造を有しているので、被包装物の下面側及び上面側の四隅（コーナー部）を受ける部分が適度に変形しやすく、被包装物のコーナー部にかかる衝撃を効率よく吸収することができる。したがって、主要部が段ボール紙からなる包装材を用いて、信頼性の高い包装を行うことが可能になる。
【００４６】
また、コーナーパッドを、その下端部が底パッド上に載るような態様で配設し、包装された状態で、被包装物が底パッドと天パッドの間を移動した場合に、コーナーパッドが被包装物とともに移動するようにした場合、搬送時などに被包装物が位置ずれを生じたような場合にも、その稜線部（平面的に見た場合のコーナー部）を確実に保護することが可能になり、包装信頼性を向上させることができる。
【００４７】
また、請求項７の包装構造のように、被包装物に、底パッド、天パッド、コーナーパッド及び支柱部が配設された状態で、底パッドと天パッドの間に被包装物が挟持されるように、底パッドと天パッドの外側を経由して周回するようにバンド状締結部材を巻き回し、締結することにより、さらに信頼性の高い包装を行うことが可能になる。
【００４８】
食器洗浄乾燥機にはユニット式のものがあり、本体部分よりも高さや横幅の大きい前面パネルを備えた構造のものがあるが、請求項８のように、本願発明の包装構造を採用することにより、前面パネルの角部などを確実に保護することが可能で、信頼性の高い包装を行うことができる。
【図面の簡単な説明】
【図１】本願発明の一実施形態にかかる包装材を用いた食器洗浄乾燥機の包装構造を示す分解斜視図である。
【図２】本願発明の一実施形態にかかる包装材を構成する底パッドの構成を説明するための図であり、（ａ）は底パッド用上側部材の展開平面図、（ｂ）は折り曲げ加工を行った後の状態を示す斜視図である。
【図３】本願発明の一実施形態にかかる包装材を構成する井桁状緩衝部材を示す図であり、（ａ）は井桁状緩衝部材を構成する段ボール紙片を示す図、（ｂ）は組み立てられた井桁状緩衝部材を示す斜視図である。
【図４】本願発明の一実施形態にかかる包装材を構成するコーナーパッドの構成を説明するための図であり、（ａ）は展開平面図、（ｂ）は組立工程を示す斜視図である。
【図５】本願発明の一実施形態にかかる包装材を用いて食器洗浄乾燥機を包装した状態を示す斜視図である。
【図６】本願発明の一実施形態にかかる包装材を用いて包装される食器洗浄乾燥機を示す図であり、（ａ）は食器洗浄乾燥機の前面側を示す斜視図、（ｂ）は背面側を示す斜視図である。
【符号の説明】
Ａ　　　食器洗浄乾燥機
１　　　底パッド
２　　　底パッド用下側部材
３　　　切り込み
４　　　底パッド用上側部材
５　　　井桁状緩衝部材
６　　　切り欠き
７ａ　　一対の細長い段ボール紙片
７ｂ　　他の一対の細長い段ボール紙片
８　　　井桁状緩衝部材の四角形部分
９　　　四角形部分を構成する辺
１０　　外側の端部
１１　　天パッド
１２　　天パッド用上側部材
１３　　切り込み
１４　　天パッド用下側部材
１５　　粘着テープ
２１　　コーナーパッド
２２　　四角形の貫通孔
２３　　長穴状の貫通孔（把手として機能する手穴）
２４　　切り欠き
２５，２５ｂ　　切り目
２５ａ　四角形の切り目
２６　　折り目用の型押し
２７　　一枚の段ボール紙
３１　　支柱部
３２　　手穴用貫通孔
４１　　ポリエチレン製の袋
４２　　ポリエチレン製のバンド状締結部材
５１　　扉部
５２　　操作ボタン
５３　　給水管
５４　　排水管
５５　　電源コード
５６　　粘着テープ
６０　　食器洗浄乾燥機本体
【図１】
2004099116.tif 000003
【図２】
2004099116.tif 000004
【図３】
2004099116.tif 000005
【図４】
2004099116.tif 000006
【図５】
2004099116.tif 000007
【図６】
2004099116.tif 000008
【手続補正書】
【提出日】平成14年10月2日(2002.10.2)
【手続補正１】
【補正対象書類名】明細書
【補正対象項目名】全文
【補正方法】変更
【補正の内容】
【特許請求の範囲】
【請求項１】平面形状が略方形の被包装物を包装するための、主要部が段ボール紙からなる包装材において、
（ａ）被包装物の底面側に配設される底パッドであって、
浅い箱状で上面が開口した底パッド用下側部材と、
浅い箱状で下面側が開口し、前記底パッド用下側部材の内側に入り込むような平面形状及び高さを有するとともに、被包装物の底面側の四隅に略対応する位置に切り込みが形成された底パッド用上側部材と、
前記底パッド用下側部材と前記底パッド用上側部材により形成される空間内に収容される、井桁状で、四角形部分を構成する辺となる部分より外側の部分（以下「端部」）のうち、所定の端部は、上端が先端に向かって下り勾配となる先細りの形状とされた井桁状緩衝部材と
を備えた底パッドと、
（ｂ）被包装物の上面側に配設される天パッドであって、
浅い箱状で下面が開口した天パッド用上側部材と、
浅い箱状で上面側が開口し、前記天パッド用上側部材の内側に入り込むような平面形状及び高さを有するとともに、被包装物の上面側の四隅に略対応する位置に切り込みが形成された天パッド用下側部材と
を備えた天パッドと、
（ｃ）被包装物の略垂直面により形成される４つの稜線部を覆うように配設され、被包装物の稜線部を保護するコーナーパッドと、
（ｄ）前記コーナーパッドを覆うように配設され、前記天パッドを支持する支柱部と
を具備することを特徴とする包装材。
【請求項２】前記コーナーパッドは、下端部が前記底パッド上に載るような態様で配設され、かつ、前記支柱部の下端側が、前記底パッドの底パッド用下側部材と底パッド用上側部材の隙間にはまり込み、上端側が、前記天パッドの天パッド用上側部材と天パッド用下側部材の隙間にはまり込むような態様で配設されており、包装された状態で被包装物が底パッドと天パッドの間を移動した場合に、前記コーナーパッドが被包装物に伴って移動するように構成されていることを特徴とする請求項１記載の包装材。
【請求項３】前記支柱部に、包装された状態の被包装物を取り扱う際に把手となる手穴が形成されていることを特徴とする請求項１又は２記載の包装材。
【請求項４】前記コーナーパッドのそれぞれが、切り目及び切り欠きを設けた一枚の段ボール紙を所定の位置で折り曲げ、巻き込むことにより形成されたものであることを特徴とする請求項１〜３のいずれかに記載の包装材。
【請求項５】前記被包装物が食器洗浄乾燥機であることを特徴とする請求項１〜４のいずれかに記載の包装材。
【請求項６】平面形状が略方形の被包装物を、請求項１〜４のいずれかに記載の包装材を用いて包装した包装構造であって、
（ａ）被包装物の底面側に前記底パッドが配設され、
（ｂ）被包装物の上面側に前記天パッドが配設され、
（ｃ）被包装物の垂直面により形成される４つの稜線部を覆うように前記コーナーパッドが配設され、
（ｄ）前記コーナーパッドを覆うように前記天パッドを支持する前記支柱部が配設されていること
を特徴とする包装構造。
【請求項７】被包装物に、前記底パッド、前記天パッド、前記コーナーパッド及び前記支柱部が配設された状態で、底パッドと天パッドの間に被包装物が挟持されるように、底パッドと天パッドの外側を経由して周回するようにバンド状締結部材が巻き回され、締結されていることを特徴とする請求項６記載の包装構造。
【請求項８】前記被包装物が食器洗浄乾燥機であることを特徴とする請求項６又は７記載の包装構造。
【発明の詳細な説明】
【０００１】
【発明の属する技術分野】
本願発明は、包装材及び包装構造に関し、詳しくは、平面形状が略方形の食器洗浄乾燥機などの被包装物を効率よく包装するための包装材及び該包装材を用いた包装構造に関する。
【０００２】
【従来の技術】
例えば、使用後の食器を自動的に洗浄乾燥する食器洗浄乾燥機、浴室暖房乾燥機、ガス加熱調理器具などの被包装物を搬送や保管のために包装する場合、従来は、包装材として、段ボール紙などの紙製ボード状材料からなる容器（段ボール箱）や、被包装物の所定の部分と段ボール箱の内壁との隙間を埋めるためのパッド（発泡スチロールなどを所定の形状に成形した成形体）などが用いられている。このパッドは、段ボール箱内に被包装物を固定したり、被包装物の重量が段ボール箱の底面などに集中して加わることを防止したりする機能を果たすとともに、外部より加わる衝撃から被包装物を保護する機能を果たす（例えば特許文献１参照）。
【０００３】
【特許文献１】
特開平９−１６９３８５号公報
【０００４】
【発明が解決しようとする課題】
しかし、発泡スチロールなどの発泡樹脂からなるパッドは、使用後に、廃棄物として焼却処理される際に公害（例えば有害ガスの発生など）を引き起こし易いという問題点がある。
また、発泡スチロールなどの発泡樹脂材料と、段ボール箱などの紙系材料の複数の材料からなる部材を包装材として用いることが必要となるため、保管や取り扱いが複雑になるという問題点がある。
【０００５】
また、公害の問題の少ない段ボール紙などの紙系材料のみを用いて包装しようとした場合、十分な耐衝撃性を確保しようとすると、紙系材料を複雑な構造に加工することが必要になったり、使用量が増大したりして、コストの増大を招くという問題点がある。
【０００６】
本願発明は、上記背景に鑑みてなされたものであり、段ボール紙を用いて、例えば食器洗浄乾燥機などの被包装物を、コストの増大を招くことなく効率よく包装することが可能な包装材、及びそれを用いた包装構造を提供することを目的とする。
【０００７】
【課題を解決するための手段】
上記目的を達成するために、本願発明（請求項１）の包装材は、
平面形状が略方形の被包装物を包装するための、主要部が段ボール紙からなる包装材において、
（ａ）被包装物の底面側に配設される底パッドであって、
浅い箱状で上面が開口した底パッド用下側部材と、
浅い箱状で下面側が開口し、前記底パッド用下側部材の内側に入り込むような平面形状及び高さを有するとともに、被包装物の底面側の四隅に略対応する位置に切り込みが形成された底パッド用上側部材と、
前記底パッド用下側部材と前記底パッド用上側部材により形成される空間内に収容される、井桁状で、四角形部分を構成する辺となる部分より外側の部分（以下「端部」）のうち、所定の端部は、上端が先端に向かって下り勾配となる先細りの形状とされた井桁状緩衝部材と
を備えた底パッドと、
（ｂ）被包装物の上面側に配設される天パッドであって、
浅い箱状で下面が開口した天パッド用上側部材と、
浅い箱状で上面側が開口し、前記天パッド用上側部材の内側に入り込むような平面形状及び高さを有するとともに、被包装物の上面側の四隅に略対応する位置に切り込みが形成された天パッド用下側部材と
を備えた天パッドと、
（ｃ）被包装物の略垂直面により形成される４つの稜線部を覆うように配設され、被包装物の稜線部を保護するコーナーパッドと、
（ｄ）前記コーナーパッドを覆うように配設され、前記天パッドを支持する支柱部と
を具備することを特徴としている。
【０００８】
上述のように、底パッド用下側部材と、被包装物の底面側の四隅に略対応する位置に切り込みが形成された底パッド用上側部材と、四角形部分を構成する辺となる部分より外側の部分（以下「端部」）のうち、所定の端部を、上端が先端に向かって下り勾配となる先細りの形状とした井桁状緩衝部材とを備えた底パッドと、天パッド用上側部材と、被包装物の上面側の四隅に略対応する位置に切り込みが形成された天パッド用下側部材とを備えた天パッドと、コーナーパッドと、天パッドを支持する支柱部とを備えた構成とすることにより、被包装物の下面側及び上面側の四隅（コーナー部）を受ける部分が適度に変形しやすくなり、被包装物のコーナー部にかかる衝撃を効率よく吸収することができる。したがって、主要部が段ボール紙からなる包装材を用いて、信頼性の高い包装を行うことが可能になる。
なお、支柱部は、被包装物の正面及び背面を覆うように、あるいは両側部を覆うように一対の２つの支柱部を備えた構成とすることも可能であり、また、４つの稜線部のそれぞれに配設されるように、４つの支柱部を備えた構成とすることも可能である。
【０００９】
また、請求項２の包装材は、前記コーナーパッドは、下端部が前記底パッド上に載るような態様で配設され、かつ、前記支柱部の下端側が、前記底パッドの底パッド用下側部材と底パッド用上側部材の隙間にはまり込み、上端側が、前記天パッドの天パッド用上側部材と天パッド用下側部材の隙間にはまり込むような態様で配設されており、包装された状態で被包装物が底パッドと天パッドの間を移動した場合に、前記コーナーパッドが被包装物に伴って移動するように構成されていることを特徴としている。
【００１０】
コーナーパッドを、その下端部が底パッド上に載るような態様で配設し、被包装物が底パッドと天パッドの間を移動した場合に、コーナーパッドが被包装物に伴って移動するようにした場合、搬送時などに被包装物が位置ずれを生じたときにも、その稜線部（平面的に見た場合のコーナー部）を確実に保護することが可能になり、包装信頼性を向上させることができる。
また、支柱部の下端側を、底パッドの底パッド用下側部材と底パッド用上側部材の隙間にはまり込ませ、上端側を、天パッドの天パッド用上側部材と天パッド用下側部材の隙間にはまり込ませることにより、包装材を構成する各部材を確実に係合させて包装信頼性を向上させることができる。
【００１１】
また、請求項３の包装材は、前記支柱部に、包装された状態の被包装物を取り扱う際に把手となる手穴が形成されていることを特徴としている。
【００１２】
支柱部に、包装された状態の被包装物を取り扱う際に把手となる手穴を形成することにより、搬送時に作業者が被包装物を積み降ろしたり、移載したりする際の作業性を向上させることが可能になる。
【００１３】
また、請求項４の包装材は、前記コーナーパッドのそれぞれが、切り目及び切り欠きを設けた一枚の段ボール紙を所定の位置で折り曲げ、巻き込むことにより形成されたものであることを特徴としている。
【００１４】
コーナーパッドを、切り目及び切り欠きを設けた一枚の段ボール紙を所定の位置で折り曲げ、巻き込むことにより形成するようにした場合、包装材を構成するコーナーパッドの製造を容易にして、本願発明をさらに実効あらしめることができる。
【００１５】
また、請求項５の包装材は、前記被包装物が食器洗浄乾燥機であることを特徴としている。
【００１６】
食器洗浄乾燥機にはユニット式のものがあり、本体部分よりも高さや横幅の大きい前面パネルを備えた構造のものがあるが、本願発明の包装材によれば、前面パネルの角部などを確実に保護することが可能な、信頼性の高い包装を行うことができる。
また、洗浄槽がスライドするスライド式の食器洗浄乾燥機においては、底面が変形すると洗浄槽をスライドさせる際にスライド部がこすれて異音が発生し、クレームの原因となりやすいが、本願発明の包装材によれば、底パッドにより底面を確実に保護することができるため有意義である。
【００１７】
また、本願発明（請求項６）の包装構造は、
平面形状が略方形の被包装物を、請求項１〜４のいずれかに記載の包装材を用いて包装した包装構造であって、
（ａ）被包装物の底面側に前記底パッドが配設され、
（ｂ）被包装物の上面側に前記天パッドが配設され、
（ｃ）被包装物の垂直面により形成される４つの稜線部を覆うように前記コーナーパッドが配設され、
（ｄ）前記コーナーパッドを覆うように前記天パッドを支持する前記支柱部が配設されていること
を特徴としている。
【００１８】
本願発明（請求項６）の包装構造は、請求項１〜４のいずれかに記載の包装材を用いた包装構造であり、被包装物の底面側に、被包装物の底面側の四隅に略対応する位置に切り込みが形成された底パッド用上側部材を備え、かつ、内部に上述の井桁状緩衝部材が収容された底パッドが配設され、被包装物の上面側に、被包装物の上面側の四隅に略対応する位置に切り込みが形成された天パッド用下側部材を備えた天パッドが配設され、被包装物の垂直面により形成される４つの稜線部を覆うようにコーナーパッドが配設され、コーナーパッドを覆うように天パッドを支持する支柱部が配設された構造を有しているので、被包装物の下面側及び上面側の四隅（コーナー部）を受ける部分が適度に変形しやすく、被包装物のコーナー部にかかる衝撃を効率よく吸収することができる。したがって、主要部が段ボール紙からなる包装材を用いて、信頼性の高い包装を行うことが可能になる。
【００１９】
また、コーナーパッドを、その下端部が底パッド上に載るような態様で配設し、包装された状態で、被包装物が底パッドと天パッドの間を移動した場合に、コーナーパッドが被包装物とともに移動するようにした場合、搬送時などに被包装物が位置ずれを生じた場合にも、その稜線部（平面的に見た場合のコーナー部）を確実に保護することが可能になり、包装信頼性を向上させることができる。
【００２０】
また、請求項７の包装構造は、被包装物に、前記底パッド、前記天パッド、前記コーナーパッド及び前記支柱部が配設された状態で、底パッドと天パッドの間に被包装物が挟持されるように、底パッドと天パッドの外側を経由して周回するようにバンド状締結部材が巻き回され、締結されていることを特徴としている。
【００２１】
被包装物に、底パッド、天パッド、コーナーパッド及び支柱部が配設された状態で、底パッドと天パッドの間に被包装物が挟持されるように、底パッドと天パッドの外側を経由して周回するようにバンド状締結部材を巻き回し、締結することにより、さらに信頼性の高い包装を行うことが可能になる。
【００２２】
また、請求項８の包装構造は、前記被包装物が食器洗浄乾燥機であることを特徴としている。
【００２３】
食器洗浄乾燥機にはユニット式のものがあり、本体部分よりも高さや横幅の大きい前面パネルを備えた構造のものがあるが、本願発明の包装構造を採用することにより、前面パネルの角部などを確実に保護することが可能で、信頼性の高い包装を行うことができる。
【００２４】
【発明の実施の形態】
以下、本願発明の実施の形態を示して、その特徴とするところをさらに詳しく説明する。
なお、この実施形態では、本願発明の一実施形態にかかる包装材を用いて、食器洗浄乾燥機（被包装物）を包装する場合を例にとって説明する。
【００２５】
図１は本願発明の一実施形態にかかる包装材を用いた食器洗浄乾燥機の包装構造を示す分解斜視図である。
【００２６】
［食器洗浄乾燥機の構成］
この実施形態において包装の対象となる食器洗浄乾燥機Ａは、図６（ａ），（ｂ）に示すような構造を有しており、前面には食器の出し入れを行うための扉部５１や操作ボタン５２などが配設され、背面には給水管５３、排水管５４、及び電源コード５５が配設されており、包装するにあたって、扉部５１が開かないように粘着テープ５６により食器洗浄乾燥機本体６０に固定された状態とされている。
【００２７】
［包装材］
上記食器洗浄乾燥機Ａを包装するために用いられる包装材は、図１に示すように、食器洗浄乾燥機Ａの底面側に配設される底パッド１と、食器洗浄乾燥機Ａの上面側に配設される天パッド１１と、食器洗浄乾燥機Ａの垂直面により形成される４つの稜線部を覆うように配設され、食器洗浄乾燥機Ａの稜線部（平面的に見た場合のコーナー部）を保護する４つのコーナーパッド２１と、コーナーパッド２１を覆うように、食器洗浄乾燥機Ａの前面側及び背面側に配設され、天パッド１１を支持する支柱部３１と、食器洗浄乾燥機Ａが収納されるポリエチレン製の袋４１を備えている。
【００２８】
食器洗浄乾燥機Ａの底面側に配設される底パッド１は、上面が開口した浅い箱状の底パッド用下側部材２と、浅い箱状で下面側が開口し、底パッド用下側部材２の内側に入り込むような平面形状及び高さを有するとともに、食器洗浄乾燥機Ａの底面側の四隅に略対応する位置に切り込み３（図２（ａ），（ｂ））が形成された底パッド用上側部材４と、底パッド用下側部材２と底パッド用上側部材４により形成される空間内に収容される井桁状緩衝部材５から形成されている。なお、井桁状緩衝部材５は、図３（ａ），（ｂ）に示すように、両端側に切り欠き６が形成された一対の細長い段ボール紙片７ａと、他の一対の細長い段ボール紙片７ｂを、それぞれの切り欠き６が互いに係合するように組み合わせることにより形成されている。また、一対の細長い段ボール紙片７ａの、四角形部分８を構成する辺９となる部分より外側の部分（端部）１０は、上端が先端に向かって下り勾配となる先細りの形状とされており、底パッド用上側部材４の切り込み３が形成された部分が下方に変形した場合に、変形部分を逃がすことができるように構成されている。
【００２９】
また、食器洗浄乾燥機Ａの上面側に配設される天パッド１１は、下面が開口した浅い箱状の天パッド用上側部材１２と、浅い箱状で上面側が開口し、天パッド用上側部材１２の内側に入り込むような平面形状及び高さを有するとともに、食器洗浄乾燥機Ａの上面側の四隅に略対応する位置に切り込み１３が形成された天パッド用下側部材１４とを備えている。
なお、上記の底パッド１を構成する底パッド用下側部材２、底パッド用上側部材４、天パッド１１を構成する天パッド用上側部材１２、天パッド用下側部材１４は、それぞれ、段ボール紙を折り曲げ加工した状態で粘着テープ１５により所定の部分を貼り付け固定することにより、所望の形状に保たれている。
【００３０】
食器洗浄乾燥機Ａの垂直面により形成される４つの稜線部を覆うように配設され、食器洗浄乾燥機Ａの稜線部（平面的に見た場合のコーナー部）を保護する４つのコーナーパッド２１のそれぞれは、図４（ａ）に示すように、所定の部分に四角形の貫通孔２２、長穴状の貫通孔２３、切り欠き２４が形成され、所定の部分に切り目２５、及び折り目用の型押し２６が施された一枚の段ボール紙２７を、図４（ｂ）に示すように、折り曲げ、巻き込むことにより形成されている。
なお、図４（ａ），（ｂ）に示す四角形部分２５ａは、折り曲げ加工を容易に行うことができるように、垂直方向には切り目が入れられず、水平方向にのみ切り目が入れられた構造となっており、段ボール紙２７が一体につながった状態とされている。また、切り目２５ｂは、一部が段ボール紙２７を切断してしまわないような態様で形成されおり、段ボール紙２７が一体につながった状態に保たれるように構成されている。なお、折り曲げ加工が行われた後の状態においては、段ボール紙２７の各部と、切り欠き２４や貫通孔２２などが係合するため、十分な強度を備えたコーナーパッド２１を得ることができる。なお、貫通孔２３は包装後に把手としての機能を果たす支柱部３１の手穴となる。
【００３１】
また、コーナーパッド２１を覆うように配設され、天パッド１１を支持する支柱部３１は、手穴用貫通孔３２が形成された段ボール紙をコ字状に折り曲げ加工することにより形成されている。なお、支柱部３１の手穴用貫通孔３２は、コーナーパッド２１の貫通孔２３と重なり、包装後に協働して把手としての機能を果たすことになる。
【００３２】
また、この実施形態では、コーナーパッド２１の下端部が底パッド１上に載るような態様で、食器洗浄乾燥機Ａの稜線部に配設され、かつ、支柱部３１の下端側が、底パッド１の底パッド用下側部材２と底パッド用上側部材４の隙間にはまり込み、上端側が、天パッド１１の天パッド用上側部材１２と天パッド用下側部材１４の隙間にはまり込むような態様で配設されており、包装された状態で食器洗浄乾燥機Ａが底パッド１と天パッド１１の間を移動した場合に、コーナーパッド２１が食器洗浄乾燥機Ａとともに移動するように構成されている。
なお、支柱部３１の下端側を、底パッド１の底パッド用下側部材２と底パッド用上側部材４の隙間にはまり込ませ、上端側を、天パッド１１の天パッド用上側部材１２と天パッド用下側部材１４の隙間にはまり込ませることにより、食器洗浄乾燥機Ａ及びコーナーパッド２１は、底パッド１，天パッド１１，支柱部２１により規定される空間内に確実に収容されるとともに、包装材を構成する各部材が確実に係合して、高い包装信頼性を実現することが可能になる。
【００３３】
［食器洗浄乾燥機Ａの包装］
（１）上記包装材を用いて食器洗浄乾燥機Ａを包装するにあたっては、まず、底パッド１上に食器洗浄乾燥機Ａを載置し、ポリエチレン製の袋４１をかぶせて、ポリエチレン製の袋４１内に食器洗浄乾燥機Ａを収納するとともに、食器洗浄乾燥機Ａの四隅が底パッド１の切り込み３上に位置するようにセットする。
（２）次に、食器洗浄乾燥機Ａの垂直面により形成される４つの稜線部を覆うように、コーナーパッド２１を所定の位置に配置する。このとき、包装された状態で、食器洗浄乾燥機Ａが底パッド１と天パッド１１の間を移動した場合に、コーナーパッド２１が食器洗浄乾燥機Ａとともに移動できるように、コーナーパッド２１の下端が底パッド１上に載るように配設する。
（３）それから、２つの支柱部３１を食器洗浄乾燥機Ａの前面側と背面側に配設し、下端側を、底パッド１の底パッド用下側部材２と底パッド用上側部材４の隙間にはまり込ませる。
（４）次に、食器洗浄乾燥機Ａの上面に天パッド１１を載置し、２つの支柱部３１の上端側を、天パッド１１の天パッド用上側部材１２と天パッド用下側部材１４の隙間にはまり込ませることにより包装を行う。
（５）そして、図５に示すように、食器洗浄乾燥機Ａに、底パッド１、天パッド１１、コーナーパッド２１及び支柱部３１が配設された状態で、底パッド１と天パッド１１の間に食器洗浄乾燥機Ａが挟持されるように、底パッド１と天パッド１１の外側を経由して周回するようにポリエチレン製のバンド状締結部材４２を巻き回し、締結する。
これにより、食器洗浄乾燥機Ａの包装が行われる。
【００３４】
この実施形態においては、上述のように構成された包装材を用いて包装を行っており、底パッド用上側部材４及び天パッド用下側部材１４には切り込み３，１３が形成されおり、かつ、底パッド１を構成する井桁状緩衝部材５の一対の細長い段ボール紙片７ａの端部１０の上端が先端に向かって下り勾配となるように先細りの形状とされているので、食器洗浄乾燥機Ａの底面側の四隅（コーナー部）を受ける部分、すなわち、底パッド１を構成する底パッド用上側部材４の切り込み３が形成された部分及び天パッド１１を構成する天パッド用下側部材１４の切り込み１３が形成された部分が、適度に変形しやすくなり、食器洗浄乾燥機Ａのコーナー部にかかる衝撃を効率よく吸収することが可能になる。
【００３５】
また、コーナーパッド２１を、その下端部が底パッド１上に載るような態様で配設しているので、包装された状態で食器洗浄乾燥機Ａが底パッド１と天パッド１１の間を移動した場合に、コーナーパッド２１が食器洗浄乾燥機Ａとともに移動するため、搬送時などに食器洗浄乾燥機Ａが位置ずれを生じたような場合にも、その稜線部（平面的に見た場合のコーナー部）を確実に保護することができる。
【００３６】
また、支柱部３１及びコーナーパッド２１に　包装された状態の食器洗浄乾燥機Ａを取り扱う際に把手となる手穴用貫通孔３２及び貫通孔２３を形成しているので、搬送時に作業者が食器洗浄乾燥機Ａを積み降ろしたり、移載したりする際の作業性を向上させることができる。
【００３７】
また、コーナーパッド２１を、一枚の段ボール紙を所定の位置で折り曲げ、巻き込むことにより形成するようにしているので、包装材を構成するコーナーパッド２１の製造を容易にして、本願発明をさらに実効あらしめることができる。
【００３８】
なお、上記実施形態においては、井桁状緩衝部材を構成する一対の細長い段ボール紙片７ａの、四角形部分８を構成する辺９となる部分より外側の端部１０を先細りの形状としているが、場合によっては他の一対の段ボール紙片７ｂの端部を先細りの形状としてもよく、また、一対及び他の一対の両方の段ボール紙片７ａ，７ｂの端部を先細りの形状としてもよい。
【００３９】
また、上記実施形態では、食器洗浄乾燥機を包装する場合を例にとって説明したが、本願発明は、食器洗浄乾燥機に限らず、浴室暖房乾燥機、ガス加熱調理器具などの、平面形状が略方形の種々の被包装物を包装する場合に広く適用することが可能である。
【００４０】
本願発明はさらにその他の点においても上記実施形態に限定されるものではなく、底パッド、底パッド用下側部材、底パッド用上側部材、井桁状緩衝部材、天パッド、天パッド用上側部材、天パッド用下側部材、コーナーパッド、支柱部などの形状、構造に関し、発明の範囲内において、種々の応用、変形を加えることが可能である。
【００４１】
【発明の効果】
上述のように本願発明（請求項１）の包装材は、上述のように、底パッド用下側部材と、被包装物の底面側の四隅に略対応する位置に切り込みが形成された底パッド用上側部材と、四角形部分を構成する辺となる部分より外側の部分（以下「端部」）のうち、所定の端部を、上端が先端に向かって下り勾配となる先細りの形状とした井桁状緩衝部材とを備えた底パッドと、天パッド用上側部材と、被包装物の上面側の四隅に略対応する位置に切り込みが形成された天パッド用下側部材とを備えた天パッドと、コーナーパッドと、天パッドを支持する支柱部とを備えた構成としているので、被包装物の下面側及び上面側の四隅（コーナー部）を受ける部分が適度に変形しやすくなり、被包装物のコーナー部にかかる衝撃を効率よく吸収することができる。したがって、主要部が段ボール紙からなる包装材を用いて、信頼性の高い包装を行うことが可能になる。
【００４２】
また、請求項２の包装材のように、コーナーパッドを、その下端部が底パッド上に載るような態様で配設し、被包装物が底パッドと天パッドの間を移動した場合に、コーナーパッドが被包装物に伴って移動するようにした場合、搬送時などに被包装物が位置ずれを生じたときにも、その稜線部（平面的に見た場合のコーナー部）を確実に保護することが可能になり、包装信頼性を向上させることができる。
また、支柱部の下端側を、底パッドの底パッド用下側部材と底パッド用上側部材の隙間にはまり込ませ、上端側を、天パッドの天パッド用上側部材と天パッド用下側部材の隙間にはまり込ませることにより、包装材を構成する各部材を確実に係合させて包装信頼性を向上させることができる。
【００４３】
また、請求項３の包装材のように、支柱部に、包装された状態の被包装物を取り扱う際に把手となる手穴を形成することにより、搬送時に作業者が被包装物を積み降ろしたり、移載したりする際の作業性を向上させることが可能になる。
【００４４】
また、請求項４の包装材のように、コーナーパッドを、切り目及び切り欠きを設けた一枚の段ボール紙を所定の位置で折り曲げ、巻き込むことにより形成するようにした場合、包装材を構成するコーナーパッドの製造を容易にして、本願発明をさらに実効あらしめることができる。
【００４５】
また、食器洗浄乾燥機にはユニット式のものがあり、本体部分よりも高さや横幅の大きい前面パネルを備えた構造のものがあるが、請求項５のように本願発明の包装材を用いることにより、前面パネルの角部などを確実に保護することが可能な、信頼性の高い包装を行うことができる。
【００４６】
本願発明（請求項６）の包装構造は、請求項１〜４のいずれかに記載の包装材を用いた包装構造であり、被包装物の底面側に、被包装物の底面側の四隅に略対応する位置に切り込みが形成された底パッド用上側部材を備え、かつ、内部に上述の井桁状緩衝部材が収容された底パッドが配設され、被包装物の上面側に、被包装物の上面側の四隅に略対応する位置に切り込みが形成された天パッド用下側部材を備えた天パッドが配設され、被包装物の垂直面により形成される４つの稜線部を覆うようにコーナーパッドが配設され、コーナーパッドを覆うように天パッドを支持する支柱部が配設された構造を有しているので、被包装物の下面側及び上面側の四隅（コーナー部）を受ける部分が適度に変形しやすく、被包装物のコーナー部にかかる衝撃を効率よく吸収することができる。したがって、主要部が段ボール紙からなる包装材を用いて、信頼性の高い包装を行うことが可能になる。
【００４７】
また、コーナーパッドを、その下端部が底パッド上に載るような態様で配設し、包装された状態で、被包装物が底パッドと天パッドの間を移動した場合に、コーナーパッドが被包装物とともに移動するようにした場合、搬送時などに被包装物が位置ずれを生じたような場合にも、その稜線部（平面的に見た場合のコーナー部）を確実に保護することが可能になり、包装信頼性を向上させることができる。
【００４８】
また、請求項７の包装構造のように、被包装物に、底パッド、天パッド、コーナーパッド及び支柱部が配設された状態で、底パッドと天パッドの間に被包装物が挟持されるように、底パッドと天パッドの外側を経由して周回するようにバンド状締結部材を巻き回し、締結することにより、さらに信頼性の高い包装を行うことが可能になる。
【００４９】
食器洗浄乾燥機にはユニット式のものがあり、本体部分よりも高さや横幅の大きい前面パネルを備えた構造のものがあるが、請求項８のように、本願発明の包装構造を採用することにより、前面パネルの角部などを確実に保護することが可能で、信頼性の高い包装を行うことができる。
【図面の簡単な説明】
【図１】本願発明の一実施形態にかかる包装材を用いた食器洗浄乾燥機の包装構造を示す分解斜視図である。
【図２】本願発明の一実施形態にかかる包装材を構成する底パッドの構成を説明するための図であり、（ａ）は底パッド用上側部材の展開平面図、（ｂ）は折り曲げ加工を行った後の状態を示す斜視図である。
【図３】本願発明の一実施形態にかかる包装材を構成する井桁状緩衝部材を示す図であり、（ａ）は井桁状緩衝部材を構成する段ボール紙片を示す図、（ｂ）は組み立てられた井桁状緩衝部材を示す斜視図である。
【図４】本願発明の一実施形態にかかる包装材を構成するコーナーパッドの構成を説明するための図であり、（ａ）は展開平面図、（ｂ）は組立工程を示す斜視図である。
【図５】本願発明の一実施形態にかかる包装材を用いて食器洗浄乾燥機を包装した状態を示す斜視図である。
【図６】本願発明の一実施形態にかかる包装材を用いて包装される食器洗浄乾燥機を示す図であり、（ａ）は食器洗浄乾燥機の前面側を示す斜視図、（ｂ）は背面側を示す斜視図である。
【符号の説明】
Ａ　　　食器洗浄乾燥機
１　　　底パッド
２　　　底パッド用下側部材
３　　　切り込み
４　　　底パッド用上側部材
５　　　井桁状緩衝部材
６　　　切り欠き
７ａ　　一対の細長い段ボール紙片
７ｂ　　他の一対の細長い段ボール紙片
８　　　井桁状緩衝部材の四角形部分
９　　　四角形部分を構成する辺
１０　　外側の端部
１１　　天パッド
１２　　天パッド用上側部材
１３　　切り込み
１４　　天パッド用下側部材
１５　　粘着テープ
２１　　コーナーパッド
２２　　四角形の貫通孔
２３　　長穴状の貫通孔（把手として機能する手穴）
２４　　切り欠き
２５，２５ｂ　　切り目
２５ａ　四角形の切り目
２６　　折り目用の型押し
２７　　一枚の段ボール紙
３１　　支柱部
３２　　手穴用貫通孔
４１　　ポリエチレン製の袋
４２　　ポリエチレン製のバンド状締結部材
５１　　扉部
５２　　操作ボタン
５３　　給水管
５４　　排水管
５５　　電源コード
５６　　粘着テープ
６０　　食器洗浄乾燥機本体